(57)【特許請求の範囲】
【請求項１】
天板を有する寝台本体と、
前記天板上に載置されるマットと、
前記マットに接続され、前記マット上の被検者を固定するための固定ベルトと
を備え、
前記マットの側部には、前記マットの長手方向に沿ってマット面ファスナが設けられており、
前記固定ベルトには、前記マット面ファスナに着脱されるベルト面ファスナが設けられており、
前記マット面ファスナへの前記ベルト面ファスナの着脱により、前記マットの長手方向への前記固定ベルトの接続位置が調節可能になっていることを特徴とする医療用寝台。
【請求項２】
前記天板と前記固定ベルトとの間に接続されるマット固定バンドをさらに備え、
前記天板の側部には、前記天板の長手方向に沿って天板面ファスナが設けられており、
前記マット固定バンドには、前記天板面ファスナに着脱されるバンド面ファスナが設けられており、
前記天板の長手方向への前記マット固定バンドの接続位置は、前記マットへの前記固定ベルトの接続位置に応じて調節可能になっていることを特徴とする請求項１記載の医療用寝台。
【請求項３】
前記天板と前記マットとの間に接続されるマット固定バンドをさらに備え、
前記天板の側部には、天板面ファスナが設けられており、
前記マット固定バンドには、前記天板面ファスナに着脱されるバンド面ファスナが設けられていることを特徴とする請求項１記載の医療用寝台。
【請求項４】
前記マットは、マット本体と、前記マット本体の側部に前記マット本体の長手方向に沿って連続して設けられているヒレ部とを有しており、
前記マット面ファスナは、前記ヒレ部に縫製されていることを特徴とする請求項１から請求項３までのいずれか１項に記載の医療用寝台。
【発明の詳細な説明】
【技術分野】
【０００１】
この発明は、例えばＣＴ装置、ＭＲＩ装置、Ｘ線診断装置、及び量子線治療装置等に設置され、被検者が載置される医療用寝台に関するものである。
【背景技術】
【０００２】
従来の医療用寝台には、天板上に横になった被検者を固定する被検者固定装置が設けられている。具体的には、天板の側部に、パイルテープとフックテープとからなる接着テープにより、アタッチメントベルトの一端部が着脱可能に取り付けられる。また、アタッチメントベルトの他端部に設けられた受け部内に、固定ベルトの一端側に形成された鉤型形状の嵌め込み部が嵌合される（例えば、特許文献１参照）。
【先行技術文献】
【特許文献】
【０００３】
【特許文献１】特開２０００−２７９４６０号公報
【発明の概要】
【発明が解決しようとする課題】
【０００４】
しかし、上記のような従来の被検者固定装置では、鉤型形状の嵌め込み部及び受け部がポリエチレン等の成形品で製作されており、かつ、受け部が被検者の長手方向に沿って摺動自在となるようにアタッチメントベルトに取り付けられているため、構成が複雑であるとともに、受け部が天板の長手方向に大きくなり、コストが高くなる。
【０００５】
この発明は、上記のような課題を解決するためになされたものであり、簡単な構成により、天板上の被検者を強固に固定することができる医療用寝台を得ることを目的とする。
【課題を解決するための手段】
【０００６】
この発明に係る医療用寝台は、天板を有する寝台本体と、天板上に載置されるマットと、マットに接続され、マット上の被検者を固定するための固定ベルトとを備え、マットの側部には、マットの長手方向に沿ってマット面ファスナが設けられており、固定ベルトには、マット面ファスナに着脱されるベルト面ファスナが設けられており、マット面ファスナへのベルト面ファスナの着脱により、マットの長手方向への固定ベルトの接続位置が調節可能になっている。
【発明の効果】
【０００７】
この発明によれば、簡単な構成により、天板上の被検者を強固に固定することができる医療用寝台を得ることができる。
【図面の簡単な説明】
【０００８】
【図１】この発明の実施の形態１による医療用寝台を用いたＸ線ＣＴ装置を示す正面図である。
【図２】図１の寝台を示す斜視図である。
【図３】図２の寝台上部の断面図である。
【図４】図３の要部拡大図である。
【図５】この発明の実施の形態２による医療用寝台を示す斜視図である。
【図６】図５の寝台上部の断面図である。
【図７】この発明の実施の形態３による医療用寝台の要部断面図である。
【図８】この発明の実施の形態４による医療用寝台の要部断面図である。
【発明を実施するための形態】
【０００９】
以下、この発明を実施するための形態について、図面を参照して説明する。
実施の形態１．
図１はこの発明の実施の形態１による医療用寝台を用いたＸ線ＣＴ装置を示す正面図である。図において、Ｘ線ＣＴ装置１は、スキャナガントリ部２と、スキャナガントリ部２内に配置された寝台（医療用寝台）３とを有している。
【００１０】
図２は図１の寝台３を示す斜視図である。寝台３は、寝台本体４と、寝台本体４上に載置された平板状のマット５と、マット５の幅方向の一端部に接続された複数の第１の固定ベルト６と、マット５の幅方向の他端部に接続された複数の第２の固定ベルト７とを有している。
【００１１】
寝台本体４は、基台８と、基台８の上部に設けられた載置部９と、載置部９の中央に水平に設置された天板１０とを有している。天板１０は、被検者を載置するのに十分な幅と長さとを有している。
【００１２】
マット５は、被検者が載置されるマット本体５ａと、マット本体５ａの幅方向一端部に設けられている布製の第１のヒレ部５ｂと、マット本体５ａの幅方向他端部に設けられている布製の第２のヒレ部５ｃとを有している。ヒレ部５ｂ，５ｃは、マット本体５ａの長手方向に沿って連続して設けられている。また、ヒレ部５ｂ，５ｃは、固定ベルト６，７で被検者を固定する際に、被検者を両側から包むようにして押さえ付ける。
【００１３】
第１の固定ベルト６は、マット５の長手方向に互いに間隔をおいて、第１のヒレ部５ｂの外面（被検者を固定したときに被検者とは反対側になる面）に接続されている。第２の固定ベルト７は、マット５の長手方向に互いに間隔をおいて、第２のヒレ部５ｃの外面に接続されている。固定ベルト６，７は、布等の可撓性の材料により構成されているが、図２では水平に広げた状態を示している。
【００１４】
図３は図２の寝台３の上部の断面図、図４は図３の要部拡大図であり、それぞれ天板１０の長手方向に直角な断面を示している。第１のヒレ部５ｂの外面には、第１のマット面ファスナ１１が縫製されている。第１のマット面ファスナ１１は、マット５の長手方向に沿って連続的又は断続的に設けられている。各第１の固定ベルト６の内面（被検者を固定したときに被検者側になる面）には、第１のマット面ファスナ１１に着脱される第１のベルト面ファスナ１２が設けられている。
【００１５】
第１の固定ベルト６は、面ファスナ１１，１２を介して第１のヒレ部５ｂに接続されている。また、第１のマット面ファスナ１１への第１のベルト面ファスナ１２の着脱により、マット５の長手方向への第１の固定ベルト６の接続位置が調節可能になっている。
【００１６】
各第１の固定ベルト６の内面には、第２の固定ベルト７に接続するための第１の接続面ファスナ１３が縫製されている。また、各第１の固定ベルト６の外面には、補助面ファスナ１４が縫製されている。
【００１７】
天板１０の一方の側部には、第１の天板面ファスナ１５が固着されている。第１の天板面ファスナ１５は、天板１０の長手方向に沿って連続的又は断続的に設けられている。天板１０と第１の固定ベルト６との間には、複数の第１のマット固定バンド１６が接続されている。
【００１８】
各第１のマット固定バンド１６は、面ファスナにより構成され、補助面ファスナ１４及び第１の天板面ファスナ１５に着脱可能に取り付けられている。また、第１のマット固定バンド１６は、天板１０の長手方向について、対応する第１の固定ベルト６と同じ位置に配置されている。
【００１９】
さらに、天板１０の長手方向への第１のマット固定バンド１６の接続位置は、マット５への第１の固定ベルト６の接続位置に応じて調節可能になっている。さらにまた、各第１のマット固定バンド１６の幅寸法は、第１の固定ベルト６の幅寸法以下となっている。
【００２０】
第２のヒレ部５ｃの外面には、第２のマット面ファスナ１７が縫製されている。第２のマット面ファスナ１７は、マット５の長手方向に沿って連続的又は断続的に設けられている。各第２の固定ベルト７の内面には、第２のマット面ファスナ１７に着脱される第２のベルト面ファスナ１８が設けられている。
【００２１】
第２の固定ベルト７は、面ファスナ１７，１８を介して第２のヒレ部５ｃに接続されている。また、第２のマット面ファスナ１７への第２のベルト面ファスナ１８の着脱により、マット５の長手方向への第２の固定ベルト７の接続位置が調節可能になっている。
【００２２】
各第２の固定ベルト７の外面には、第１の接続面ファスナ１３が着脱される第２の接続面ファスナ１９が縫製されている。
【００２３】
天板１０の他方の側部には、第２の天板面ファスナ２０が固着されている。第２の天板面ファスナ２０は、天板１０の長手方向に沿って連続的又は断続的に設けられている。天板１０と第２の固定ベルト７との間には、複数の第２のマット固定バンド２１が接続されている。
【００２４】
各第２のマット固定バンド２１は、面ファスナにより構成され、第２の接続面ファスナ１９及び第２の天板面ファスナ２０に着脱可能に取り付けられている。また、第２のマット固定バンド２１は、天板１０の長手方向について、対応する第２の固定ベルト７と同じ位置に配置されている。
【００２５】
さらに、天板１０の長手方向への第２のマット固定バンド２１の接続位置は、マット５への第２の固定ベルト７の接続位置に応じて調節可能になっている。さらにまた、各第２のマット固定バンド２１の幅寸法は、第２の固定ベルト７の幅寸法以下となっている。
【００２６】
天板１０の上面には、第３の天板面ファスナ２２が固着されている。マット５の裏面には、第３の天板面ファスナ２２に着脱される第３のマット面ファスナ２３が固着されている。マット５は、面ファスナ２２，２３を介して天板１０に接続されている。
【００２７】
このような寝台３では、ポリエステル等の成形品を用いずに、面ファスナ１１，１２，１７，１８を用いた簡単な構成により、マット５の長手方向への固定ベルト６，７の接続位置を容易に調節することができ、これにより、被検者に応じた適切な位置に固定ベルト６，７を配置することができ、天板１０上の被検者を強固に固定することができる。
【００２８】
また、面ファスナ１５，２０を用いた簡単な構成により、固定ベルト６，７と天板１０の側部との間をマット固定バンド１６，２１で接続したので、被検者の体軸を中心としたローリング方向への動きに対して、マット５の天板１０からの引き剥がしに対抗し、マット５を天板１０上に強固に固定することができ、これによっても、天板１０上の被検者を強固に固定することができる。
【００２９】
さらに、マット本体５ａの側部から突出したヒレ部５ｂ，５ｃに固定ベルト６，７を接続したので、被検者に近い位置で固定ベルト６，７の位置調節をさらに容易に行うことができる。また、第１の接続面ファスナ１３と第２の接続面ファスナ１９とを係止して、第１の固定ベルト６と第２の固定ベルト７とを止着することにより、被検者をヒレ部５ｂ，５ｃ及び固定ベルト６，７により天板１０上に強固に固定することができる。
【００３０】
なお、マット固定バンド１６，２１は、固定ベルト６，７に対して着脱可能とせず、例えば固定ベルト６，７に縫製してもよい。
また、上記の例では、マット固定バンド１６，２１を面ファスナで構成したが、布等で構成されたマット固定バンドに別体の面ファスナを縫製してもよい。
【００３１】
実施の形態２．
次に、図５はこの発明の実施の形態２による医療用寝台を示す斜視図、図６は図５の寝台上部の断面図である。実施の形態１では、第１及び第２の固定ベルト６，７を用いたが、実施の形態２では、第１の固定ベルト６（以下、単に固定ベルト６と称する）のみが用いられている。また、第２のヒレ部５ｃの幅寸法が、第１のヒレ部５ｂの幅寸法よりも大きくなっている。
【００３２】
さらに、接続面ファスナ１３は、第２のマット面ファスナ１７に着脱される。即ち、固定ベルト６は、面ファスナ１３，１７を介して第２のヒレ部５ｃに着脱される。
【００３３】
第２のマット固定バンド２１は、第２のヒレ部５ｃと天板１０との間に接続されている。他の構成は、実施の形態１と同様である。
【００３４】
このような構成によっても、ポリエステル等の成形品を用いずに、面ファスナ１１，１２を用いた簡単な構成により、マット５の長手方向への固定ベルト６の接続位置を容易に調節することができ、これにより、被検者に応じた適切な位置に固定ベルト６を配置することができ、天板１０上の被検者を強固に固定することができる。
【００３５】
また、面ファスナ１５，２０を用いた簡単な構成により、ヒレ部５ｃ及び固定ベルト６と天板１０の側部との間をマット固定バンド１６，２１で接続したので、被検者の体軸を中心としたローリング方向への動きに対して、マット５の天板１０からの引き剥がしに対抗し、マット５を天板１０上に強固に固定することができ、これによっても、天板１０上の被検者を強固に固定することができる。
【００３６】
実施の形態３．
次に、図７はこの発明の実施の形態３による医療用寝台の要部断面図である。実施の形態３では、第１のヒレ部５ｂに固定ベルト６が縫製されている。他の構成は、実施の形態２と同様である。
【００３７】
このような医療用寝台では、面ファスナ１５，２０を用いた簡単な構成により、ヒレ部５ｃ及び固定ベルト６と天板１０の側部との間をマット固定バンド１６，２１で接続したので、被検者の体軸を中心としたローリング方向への動きに対して、マット５の天板１０からの引き剥がしに対抗し、マット５を天板１０上に強固に固定することができ、天板１０上の被検者を強固に固定することができる。
【００３８】
なお、実施の形態３の構成においては、第２のヒレ部５ｃの全長に渡って第２のマット面ファスナ１７を設けることで、固定ベルト６を被検者の体軸に対して斜めに巻き付けて被検者を固定することが可能となる。これにより、被検者の点滴部や創傷部位を避けて固定ベルト６により被検者を固定することが可能となる。
また、実施の形態１において、第１のヒレ部５ｂに第１の固定ベルト６を縫製するとともに、第２のヒレ部５ｃに第２の固定ベルト７を縫製してもよい。
さらに、実施の形態１〜３では、ヒレ部５ｂ，５ｃにマット面ファスナ１１，１７を設けたが、例えばヒレ部５ｂ，５ｃがない場合には、マット本体５ａの幅方向端部にマット面ファスナ１１，１７を設けてもよい。
【００３９】
実施の形態４．
次に、図８はこの発明の実施の形態４による医療用寝台の要部断面図である。マット本体５ａの幅方向両端部には、複数のマット固定バンド３１が接続されている。マット固定バンドは、マット本体５ａの長手方向に互いに間隔をおいてマット本体５ａに縫い付けられている。マット固定バンド３１には、天板面ファスナ１５，２０に着脱されるバンド面ファスナ３２が縫製されている。他の構成は、実施の形態１と同様である。
【００４０】
このような構成によっても、ポリエステル等の成形品を用いずに、面ファスナ１１，１２，１７，１８を用いた簡単な構成により、マット５の長手方向への固定ベルト６，７の接続位置を容易に調節することができ、これにより、被検者に応じた適切な位置に固定ベルト６，７を配置することができ、天板１０上の被検者を強固に固定することができる。
【００４１】
また、面ファスナ１５，２０，３２を用いた簡単な構成により、マット本体５ａと天板１０の側部との間をマット固定バンド３１で接続したので、被検者の体軸を中心としたローリング方向への動きに対して、マット５の天板１０からの引き剥がしに対抗し、マット５を天板１０上に強固に固定することができ、これによっても、天板１０上の被検者を強固に固定することができる。
【００４２】
なお、実施の形態２、３のマット固定バンド１６，２１を実施の形態４のマット固定バンド３１に置き換えてもよい。
また、上記の例では、面ファスナを介して固定ベルト６と固定ベルト７又はヒレ部５ｃとを接続したが、この部分の接続手段は面ファスナに限定されるものではない。
【符号の説明】
【００４３】
３  寝台（医療用寝台）、４  寝台本体、５  マット、６  第１の固定ベルト、７  第２の固定ベルト、１０  天板、１１  第１のマット面ファスナ、１２  第１のベルト面ファスナ、１５  第１の天板面ファスナ、１６  第１のマット固定バンド、１７  第２のマット面ファスナ、１８  第２のベルト面ファスナ、２０  第２の天板面ファスナ、２１  第２のマット固定バンド、３１  マット固定バンド。
【図１】
0005746572.tif 000002
【図２】
0005746572.tif 000003
【図３】
0005746572.tif 000004
【図４】
0005746572.tif 000005
【図５】
0005746572.tif 000006
【図６】
0005746572.tif 000007
【図７】
0005746572.tif 000008
【図８】
0005746572.tif 000009